(57)【特許請求の範囲】
【請求項１】
鍵の演奏者側裏面に前記鍵の長手方向に揺動可能に軸支された柄の先端に設けられた被案内体と、前記鍵が載置されている底板の前記被案内体と対向する位置に設けられた前記鍵への反力を調整するための調整手段とからなる鍵への反力付与手段であって、前記鍵への反力を調整するための調整手段は板バネと前記被案内体を案内するための案内溝が設けられた案内柱とからなるとともに前記板バネは前記案内柱側に向けて膨出していることを特徴とする鍵への反力付与手段。
【請求項２】
鍵の演奏者側裏面に前記鍵の長手方向に揺動可能に軸支された柄の先端に設けられた被案内体と、前記鍵が載置されている底板の前記被案内体と対向する位置に設けられた前記鍵への反力を調整するための調整手段とからなる鍵への反力付与手段であって、前記鍵への反力を調整するための調整手段は二枚の板バネから構成されるとともに少なくとも一方の板バネには前記被案内体を案内するための案内用長孔が設けられ、前記二枚の板バネは互いに向き合う方に膨出していることを特徴とする鍵への反力付与手段。
【請求項３】
前記板バネには前記被案内体を案内するための案内用長孔が設けられていることを特徴とする請求項１に記載の鍵への反力付与手段。
【請求項４】
前記被案内体は前記柄に着脱可能となっていることを特徴とする請求項１から請求項３に記載の鍵への反力付与手段。
【発明の詳細な説明】
【技術分野】
【０００１】
本発明は、電気式発音方式の鍵盤楽器の鍵盤部に関する。
【０００２】
音は、本願発明が付加された電気式発音方式の鍵盤に、さらに発音に関わる電子回路等電気的部品が付加された後に鳴る。
【０００３】
本明細書でハープシコードとあるところはすべて、スピネットでもヴァージナルでもよい。
【背景技術】
【０００４】
本明細書０００７欄に記載の非特許文献１と非特許文献２は、双方とも、Ｃ−３０という名称の電気式発音方式の鍵盤楽器に関する。
本明細書０００７欄に記載の非特許技術文献１ではハープシコードの鍵の遊びを該Ｃ−３０において再現したことに、非特許技術文献２では鍵の重みを該Ｃ−３０において再現したことに言及している。
【０００５】
鍵の重みは、一つの鍵における、単数または複数の弦が、単数または複数のプレクトラムによってはじかれることに関する用語である。
紛らわしいが、重さとあったら、被案内体自体の重さのことである。
【０００６】
本明細書０００７欄に記載の非特許技術文献１と非特許技術文献２で言及されている鍵の遊びと鍵の重みは、ハープシコードを演奏している気になるところの決定素そのものである。
すなわち、本物のハープシコードの鍵の遊びと鍵の重みの両方を同時に再現していない電気式発音方式の鍵盤楽器の鍵盤部では、ハープシコードを演奏している気にならない。
本明細書０００７欄に記載の非特許技術文献１と非特許技術文献２で言及されている鍵の遊びと鍵の重みの双方を、該Ｃ−３０という名称の電気式発音方式の鍵盤楽器が実現したと述べているのが、インターネット上の２画面、すなわち、非特許技術文献１と非特許技術文献２である。
よって、該Ｃ−３０という従来品以前の従来の電気式発音方式の鍵盤楽器の鍵盤部では、ハープシコードを演奏している気にならないかったとわかる。
【先行技術文献】
【非特許文献】
【０００７】
【非特許文献１】Ｃ−３０：：製品：：ローランド  （「詳細」のタブ）ｈｔｔｐ：／／ｗｗｗ．ｒｏｌａｎｄ．ｃｏ．ｊｐ／ｐｒｏｄｕｃｔｓ／ｊｐ／Ｃ−３０／
【非特許文献２】Ｃ−３０：：Ｑ＆Ａ：：サポート：：ローランド  ｈｔｔｐ：／／ｗｗｗ．ｒｏｌａｎｄ．ｃｏ．ｊｐ／ｓｕｐｐｏｒｔ／ａｒｔｉｃｌｅ／ｉｎｄｅｘ．ｃｆｍ？ｑ＝ｆａｑ＆ｐ＝Ｃ−３０＆ｉｄ＝１８３１２０７
【発明の概要】
【発明が解決しようとする課題】
【０００８】
ハープシコードを所有すれば、頻繁に調律をすることになる。また、頻度は少ないがプレクトラムや弦を交換しなければならない場面も必ず出てくる。
頻繁な調律、プレクトラムの交換、および弦の交換をしたくない、だけどハープシコードを所有して演奏したい、という人には、頻繁な調律、プレクトラムの交換、および弦の交換が一切必要ない電気式発音方式の鍵盤楽器であって、ハープシコードを演奏している気になるものであって、かつ、ハープシコードの音が鳴るもので、できることなら歴史的に実際にあった外観をしたものが所望される。
しかし、電気式従来品では、音だけは本物の音が鳴るが、鍵への反力付与手段が得られていない。
また、外観も貧相である。
【０００９】
非特許技術文献１及び２に記載のＣ−３０という従来品によって、ハープシコードを演奏している気になれることに近づくことが少し改善された。
【００１０】
前記Ｃ−３０という従来品では、すべての鍵において鍵が演奏者側の最下位置にあるときから初期の水平位置へ復帰するときに、ハープシコードの鍵盤から指が受ける反力を再現していない。
【００１１】
また、前記Ｃ−３０の短尺鍵においては、鍵の遊びが本物のハープシコードに比べて小さいことが気にならずにはおれない。
【００１２】
さらに、前記Ｃ−３０では、鍵の最下位置に留まっているときには、ハープシコードの鍵への反力が、本物のハープシコードに比べて大きすぎるので、鍵の最下位置に長く留まっていたいときでも、早く初期位置へ復帰するよう常時促されているように感じられるので、意図に反して早く切り上げてしまいがちになる。
【００１３】
非特許技術文献１及び２に記載のＣ−３０という従来品の使用者による感想として、「・・・あと実際の楽器では、鍵盤を弾いた後戻す時の時間を調整できますが、電子チェンバロでは、鍵盤が元の位置に戻る力がちょっと強すぎる感じでした。・・・」とｈｔｔｐ：／／ｌａｌａｌｏｕｌｏｕ．ｂｌｏｇ．ｓｏ−ｎｅｔ．ｎｅ．ｊｐ／２００８−０５−２１に述べられている。
前記Ｃ−３０という従来品の使用者による感想は、本明細書００１２欄に記載されていることと一致している。
【００１４】
よって、まだまだ鍵への反力付与を正しいものに近づける余地がある。
【課題を解決するための手段】
【００１５】
本発明は上記課題を解決するためになされたもので、請求項１に記載の鍵への反力付与手段は、ハープシコードと同一サイズ、同一素材の鍵を用い、鍵の演奏者側裏面に前記鍵の長手方向に揺動可能に軸支された柄の先端に設けられた被案内体と、前記鍵が載置されている底板の前記被案内体と対向する位置に設けられた前記鍵への反力を調整するための調整手段とからなる鍵への反力付与手段であって、前記鍵への反力付与手段は板バネと前記被案内体を案内するための案内溝が設けられた案内柱とからなるとともに前記板バネは前記案内柱側に向けて膨出していることを特徴とする。
請求項２に記載の鍵への反力付与手段は、鍵の演奏者側裏面に前記鍵の長手方向に揺動可能に軸支された柄の先端に設けられた被案内体と、前記鍵が載置されている底板の前記被案内体と対向する位置に設けられた前記鍵への反力を調整するための調整手段とからなる前記鍵への反力付与手段であって、前記鍵への反力を調整する調整手段は二枚の板バネから構成されるとともに少なくとも一方の板バネには前記被案内体を案内するための案内用長孔が設けられ、前記二枚の板バネは互いに向き合う方に膨出していることを特徴とする。
請求項３に記載の前記鍵への反力付与手段は、前記板バネには前記被案内体を案内するための案内用長孔が設けられていることを特徴とする請求項１に記載の前記鍵への反力付与手段である。
請求項４に記載の前記鍵への反力付与手段は、前記被案内体は前記柄に着脱可能となっていることを特徴とする請求項１から請求項３に記載の前記鍵への反力付与手段である。
【発明の効果】
【００１６】
非特許技術文献１及び２に記載のＣ−３０という従来品にはそれなりの効果があったが、上記の構成を採用したことで、鍵への反力付与手段が得られた。
【００１７】
また、本発明により、頻繁な調律、および、プレクトラムや弦の交換が不要な電気式発音方式の鍵盤楽器であって、なおかつ、鍵への反力付与手段が与えられているおかげでハープシコードを演奏している気になるものであり、発音に関わる電子回路等電気的部品が付加されたならば、ハープシコードの音が鳴るものを提供できるようになった。
【００１８】
また、プレクトラムだけなくして、他はそのままのハープシコードに、本願発明を付加した鍵盤を組み込めば、外観も本物のハープシコードである。
実際は、本物のハープシコード自体を改造する必要はないので、本物のハープシコードの忠実な複製品を用いる。
【図面の簡単な説明】
【００１９】
【図１】本発明の実施例を示す図で、最上段の図は長尺鍵を示し、中段の図は短尺鍵を示し、最下段はＡ−Ｂ部分拡大図を示す。
【図２】本発明の揺動用金具の取り付け方を示す斜視図及び、被案内体の形状を示す図。
【図３】本発明の実施例の鍵への反力を調整するための調整手段を示す図。
【図４】上段の図は本発明の板バネの他の実施例を示し、下段はＨ−Ｖ部分拡大図を示す。
【図５】本実施例の案内柱と板バネの組み合わせを示す図。
【発明を実施するための形態】
【００２０】
本発明は、本物のハープシコードの鍵盤部をそのまま利用することから始まる。
よって、鍵盤の寸法と鍵盤表面の肌触りは本物のハープシコードと同一である。
鍵盤の寸法と鍵盤表面の肌触りが本物であることは、本課題の出発点である。
【００２１】
図１の最上段の図に見出される寸法Ｌ１は本明細書００２０欄に記載された理由から定数である。
【００２２】
図１は、本発明を実施するための形態を示す図で、最上段の図は長尺鍵９を側面から見た図を示し、中段の図は短尺鍵９を側面から見た図を示す。
長尺鍵９の場合と短尺鍵９の場合の違いは、バランスピン１１ａが天秤台１１に打ち込まれる位置と、バランスピン１１ａから演奏者側の切口までの範囲における鍵９の裏面の形状の二点である。よって、図１の中段の図で牛骨９ｂ以外の符号は省略した。
【００２３】
端的に言えば、黒檀９ａや牛骨９ｂが貼ってある範囲の鍵９の下面と底板１０の間の空間に、本課題を解決する手段が外からは見えないような態様で設けられるということである。
よって、プレクトラムだけ取り除いた本物のハープシコードの複製品に、本発明を備える鍵盤部を組み込んだ後の完成品の外観は、ハープシコードの外観と同一である。
【００２４】
本願発明の実施上、長尺鍵９一つと底板１０の組及び双方に空間的に挟まれている鍵９への反力付与手段１、又は、短尺鍵９一つと底板１０の組及び双方に空間的に挟まれている鍵への反力付与手段１のでちらでも本発明の一単位と呼んでも何も問題は生じない。該一単位を実施者が欲する個数だけ並べることで、所望の鍵盤部が得られる。
本発明の解決手段は、長尺鍵９、短尺鍵９双方とも鍵９の切口から測って図１の最上段の図に見出される寸法Ｌ３のところに設けられるので、本明細書では、長尺鍵９の場合で発明を実施するための形態が説明されるが、短尺鍵９への本願発明の実施は、長尺鍵９の場合に準じる。
短尺鍵９に関して、本発明の解決手段は、本発明を実施するための形態では、左右の隣接鍵９にははみ出さないように設けているが、はみ出した場合でも、干渉して左右の鍵９がうまく作動しなくなるであろう箇所の長尺鍵９の裏面の一部を切り欠けばよい。
【００２５】
鍵への反力付与手段１は、図１全部と、図２の上段の図とで示されるように、鍵９の演奏者側の下面に設けられた凹部に、柄３が揺動できるように軸４を揺動用金具５で鍵９にネジ留めする位置、すなわち、寸法Ｌ３を決めると、残りの部品の位置は自動的に定まる。
柄３の基端が鍵９に取り付く位置は、長尺鍵９でも短尺鍵９でも鍵９の切口から測り、寸法Ｌ３と呼ぶ。
寸法Ｌ３は鍵９の中心線上かつ黒檀、牛骨が貼られる領域内で自由度があるので、実施者の裁量で決定される。
【００２６】
前記揺動用金具５には前記鍵９の長手方向に揺動する柄３の基端が、図１全部に示されるように垂下して設けられ、該柄３の先端には被案内体２が形成され、該被案内体２がその下方の底板１０上に前記被案内体２に対向するように設けられた前記鍵への反力を調整するための調整手段６の板バネ６ａともう一方の板バネ６ａ（または案内柱６ｃ）に挟み込まれるように保持される構造である。
【００２７】
前記板バネ６ａは、下方にいくほどもう一方の板バネ６ａ（または案内柱６ｃ）との水平に測った間隔が狭まり、更にその下方においては前記被案内体２が開放状態となる形状である。
前記鍵への反力を調整するための調整手段６が、図５の組み合わせ１及び組み合わせ２のような、二つの板バネ６ａの場合では、上方側と下方側にラッパ状に広がり、板バネ６ａの高さ方向の中央部は最も被案内体２の赤道径が小さい被案内体２の赤道径よりもやや狭い幅となるように設定されている。
【００２８】
図２の下段の図の一番左の被案内体２は、最も小さい赤道径の場合であり、一番小さい鍵９の重みのときの用途専用である。
本明細書００２７欄に記載の二つの板バネ６ａの場合での板バネ６ａの高さ方向の中央部の幅とは、図４の下段の図において寸法Ｘ１に相当する幅のことである。
二つの板バネ６ａで挟まれた空間は、被案内体２が通り抜ける通路７となる。
【００２９】
鍵９を操作しない、無人のときの静止状態では、前記被案内体２は軽く接触した状態で板バネ６ａと、もう一方の板バネ６ａ（または案内柱６ｃ）に挟み込まれているのが定位置である。
【００３０】
図２の下段の図においては、前記鍵９の下面に形成された凹部は描くことが省略されている。
該凹部にネジ留めされる揺動用金具５二個が、各々柄３と点接触する部位を向き合わせて固設された状態を図２の下段の図において示している。
図２の下段の図では、軸４と柄３と被案内体２の一体化したものは、柄３を通る図２の紙面に垂直な平面内で、揺動運動することになる。
図２の上段の図では、実際の取付後の状態とは異なり、軸４、柄３、非案内体２が一体化ものは図２の下段の図として、揺動用金具５と分離して描いてあるが、軸４は、揺動用金具５と鍵９の間に形成される膨らみの中に差し込まれて前記鍵９にネジ留めされるのが本当の態様である。ネジは主要部品ではないので図２の全部で省略されている。
つまるところ、揺動用金具５二個は柄３の基端を演奏者の前後方向、即ち鍵の長手方向に自在に揺動させるように取り付けられる。
【００３１】
図３に描かれている板バネ６ａは、板バネ設置台６ｂを使用する場合の形状である。
板バネ設置台６ｂを板バネ６ａと底板１０の間に挟まない場合は、底板１０からの位置関係が変わるので板バネ６ａの形状は図３の形状と同一ではない。
底板１０に直接ネジ留めされる板バネ６ａを、後述の本明細書００４３欄に記載されているような理由で何度も交換する場合に比べると、板バネ設置台６ｂが板バネ６ａと底板１０の間にある場合の方が、長期間にわたって、板バネ６ａの完全な固設が保証される。
板バネ設置台６ｂは直方体の金属の塊にネジ穴がきってあるものである。
【００３２】
案内柱６ｃは底板１０にネジ留めされる。
図１の最下段のＡ−Ｂ部分拡大図では、板バネを除く太線がすべてネジを表している。
板バネ６ａは薄板であるので太線で描いてある。
【００３３】
被案内体受け止め部材８は実施例ではフェルトであり、図２の下段の図において、被案内体２のハッチング部のうち、底板１０と衝突する南極点と南極点近傍の部位の方を底板１０上で受け止める。被案内体受け止め部材８は図３で四角形で描かれているが四角形に限定されるわけではない。
図２の下段の図において、被案内体２は柄３を回転軸とする回転体であり、最も赤道径が小さい被案内体２から、最も赤道径が大きい被案内体２まで、全部でｎ種類ある。被案内体２では、ｎ種類をとおして対応する箇所のハッチング部の曲率半径は皆同一である。
また、該被案内体２の高さ及び重さもまた皆同一である。図２の下段の図において、該被案内体２の外形の境界線における細線部分は任意の曲面ということを示しているので、凹ませて重さが、ｎ種類の前記被案内体２において皆同一になるようにする。
南極点近傍の部位ではない方のハッチング部は、前記鍵への反力を調整するための調整手段６の通路７を通り抜ける際に触れる部分である。
なお、図２の下段の図では、後述の本明細書００４３欄に記載の、被案内体２は柄３に着脱可能という理由により、一番左の被案内体２を除いて、他の被案内体２は単体で描いてある。
【００３４】
ブレ防止ピン１２は鍵９の中心線を同一鉛直平面内に留めるためのものである。
ブレ防止ピン１２の断面は真円である。ブレ防止ピン１２を貫通させている鍵９の孔は、鍵９の幅がブレ防止ピン１２の直径の長孔である。
【００３５】
バランスピン１１ａの断面も真円である。バランスピン１１ａは天秤台１１に立てられており、バランスピン１１ａが貫通している鍵９には、上広がりで幅がバランスピン１１ａの直径の孔があけられている。
天秤台１１の上面は、演奏者が図１の最上段の図及び中段の図の、鍵９の、黒檀９ａや牛骨９ｂが貼られているところを押し下げると鍵９が滑らかな天秤運動できるような形状をしている。さらに詳しくは、鍵９と天秤台１１の間には、バランスピン１１ａに貫通された円いフェルト生地が存在する。
本明細書の００３４欄に記載のことと合わせると、鍵９は真上へ引き上げれば容易に鍵９単体として分離できることがわかる。
【００３６】
バランスピン１１ａより奥側の鍵９自体の自重で、水平維持用受け止め部材１３が無いならば、ブレ防止ピン１２の部分で鍵９が底板１０に着いた傾いた状態で静止する。水平維持用受け止め部材１３があることで、長尺鍵９と短尺鍵９の双方は、無人状態では水平位置に留まっていることができる。
鍵９の演奏者側の縁が最下位置に到達したら、バランスピン１１ａより奥側の鍵９の自重によって、今度は奥側の鍵９の切口が底板１０めがけて復帰しようとし、鍵９は水平維持用受け止め部材１３によって水平位置で柔らかく受け止められる。
【００３７】
鍵９の押下行程の最後、鍵９の演奏者側の縁が可能な変位範囲のうちの最下位置に到達するとき、上昇止め１４のフェルト部１４ａによって鍵９の奥側は柔らかく静止させられる。
上昇止め固定用ネジ１４ｂ七個で、七箇所、隣り合って並んだ鍵９の縁の一部を貫通箇所で上昇止め固定用ネジ１４ｂの断面より大きく全体で大きな貫通円になるように切り欠いて上昇止め１４を底板１０に固定している。よって、底板１０に立てた上昇止め固定用ネジ１４ｂは、鍵９の天秤運動を阻害しない。
バランスピン１１ａより奥側の鍵９が、上昇止め１４のフェルト部１４ａで頭打ちとなったとき、演奏者側の鍵９は可能な変位範囲のうちの最下位置となる。
よって、バランスピン１１ａより奥側の鍵９が、上昇止め１４のフェルト部１４ａで頭打ちとなったとき、同時に、被案内体２が底板１０上の被案内体受け止め部材８でちょうど頭打ちとなるような被案内体２の大きさ、及び柄３の長さが実施者によって選択されなければならない。
【００３８】
被案内体２が底板１０上の衝撃緩和部材８でちょうど頭打ちとなるように図１の上段の図に見出される寸法Ｌ２と寸法Ｌ３を決める。寸法Ｌ３は寸法Ｌ２より先に決める。寸法Ｌ３が決まると、寸法Ｌ２は、鍵９が最下位置にある場合を境界条件として、試行錯誤の後、必ず決定される。
また、寸法Ｌ２には、揺動用金具５を留めるネジが、黒檀や牛骨を突き抜けてはならないという境界条件もある。
その後、柄３の長さを決めると、被案内体２の高さは自動的に決定される。
被案内体２の高さが決定した被案内体２の中で、最小の赤道径をもつものを使用して、板バネ６ａの形状と、板バネ６ａどうしをどれだけの間隔をあけて向かい合わせるかが試行錯誤の後に必ず決定される。
【００３９】
図２の上段の図に見出される寸法Ｌ４は鍵９の下面に設けられた凹部の鍵９の幅方向の寸法であり、本願発明の実施者が採用する揺動用金具５や板バネ６ａの大きさに依存する。
図２の上段の図の寸法Ｌ４と寸法Ｌ５は、長尺鍵の場合である。
短尺鍵の場合は、寸法Ｌ５はゼロでもよい。
寸法Ｌ５とは、鍵９の鍵９の幅の寸法から、鍵９の鍵９の幅方向の凹みの寸法Ｌ４を差し引いた残りを二等分した寸法のことである。
長尺鍵９においては、明らかに寸法Ｌ６はゼロとはできない。美観を損なうからである。
【００４０】
本明細書００２０欄の記載は、豪華な容れ物に鍵盤部を差し込むことを前提にしているが、ハープシコードの外観を決めている外骨格とも言うべき容れ物を、場所を専有しないこと、及び携帯用途を主目的とした歴史的に実際にあった外骨格とは異なる新しく創作された形状の容れ物に納めようというならば、もはや図１の上段の図に見出される寸法Ｌ１を頑なに守る理由はなく、鍵９の正味の上下変位量さえ同一に保つことができればよいので、被案内体２をより大きく、柄３をより長く、板バネ６ａをより大きく、寸法Ｌ１をより大きくできる。場合によっては鍵９の裏面の凹部も不要とできる。
鍵９の正味の上下変位量は何も変わらないので、使用者はやはりハープシコードを演奏しているような気となる。ただ、楽器が下方向へ厚みを増すだけである。
実施例では、できるだけ本物のハープシコードに加える変更点は最小に留めようとしている。しかし、鍵９の裏面を切り欠くことを厭わないならば、実施者の判断で少し大きめの部品を使用して隣接する鍵９の裏面を干渉しないように削るという選択もある。
【００４１】
図３の板バネ６ａは、同一形状かつ、バネ定数違いのものがバネ定数最小のものからバネ定数最大のものまでで、全部でｍ個ある。
バネ定数が最小の板バネ６ａは、最も小さい鍵９の重みの用途専用である。
バネ定数が最大の板バネ６ａは、最も大きい鍵９の重みの用途専用である。
ハープシコードで実際ありえる鍵９の重みだけが忠実な再現の対象であるので、赤道径最大の被案内体２を決めた場合、ｍの上限は自動的に決まる。
【００４２】
本発明の板バネ６ａは、図４の下段のＨ−Ｖ部分拡大図の態様の板バネ６ａに変えてもよい。
図４の上段の図は、図１のＡ−Ｂ部分拡大図と同じ方向から見た、２つの同一の板バネ６ａが向き合った図であり、底板１０と被案内体受け止め部材８が描かれることが省略されている。
板バネ６ａの形状は、図４の上段の図の外径輪郭を鍵の幅方向に、短尺鍵９の幅より少し小さい距離だけ引き伸ばしてできる形状である。
図４の下段の図は、Ｈ−Ｖ部分拡大図であり、被案内体２が通り抜ける通路７の最も狭い部分の水平方向の幅が寸法Ｘ１であり、該寸法Ｘ１のすぐ下には、被案内体２にとって通り抜けるときに突起と感じられる部分、通り抜けるときに鍵への最大反力付与時を強調する役割がある部分の寸法が、該寸法Ｘ１よりは必ず小さい寸法の寸法Ｘ２としてある。
図４の下段のＨ−Ｖ部分拡大図では、二つの異なる板バネが接合されて一つの板バネ６ａとなっており、被案内体２と接触する板バネ６ａの、寸法Ｘ２の矢印の先端となっている部分は、本明細書００４１欄に記載の板バネ６ａに対する添加物である。
二つの板バネ６ａが本明細書００２７に記載のラッパ状になっている形態との決定的な違いは、図４の下段のＨ−Ｖ部分拡大図では、高さの中央部で被案内体２にとっては通路７を上から下へ通過するときのみに棘と感じられるようなものがあることである。
後述の本明細書００５５欄に記載されているように、復帰行程では一気に一区間と感じられるように水平位置めがけて復帰することができる。
被案内体２にとっては通路７を下から上へ通過するときには棘とは感じられないような形状を図４の下段のＨ−Ｖ部分拡大図に見出される板バネ６ａはしている。
厚みがわかる方向から見て（図４の正面から見て）、棘のような部位近傍と該棘のような部位より上方では一重の板バネである。
二枚の板バネを接着剤又は溶接で接合して、一つの板バネ６ａにする。
【００４３】
柄３から被案内体２を着脱自在にすると、一つの被案内体２につき、本明細書００４１欄に記載のｍとおりのバネ定数との組み合わせを考えることができる。
すなわち、赤道径に関して下限から上限までｎとおりある被案内体２と、下限のところの赤道径最小の被案内体２を一つ定めたときにバネ定数に関して下限から上限までｍとおりある板バネ６ａのｎ×ｍとおりの段階で鍵９の重みを調整することが可能となる。
ｎ×ｍという分解能を具体的にいくつにするかでｎをいくつ、ｍをいくつと決定することは実施者の裁量に任される。
柄３と被案内体２の接合は螺合であるので交換は容易である。
【００４４】
非特許文献２には、Ｃ−３０という従来品は鍵９の重みについてヴァリエーションを持たない、つまり唯一種類だけしかないと記載されている。
従来の電気式鍵盤楽器では、製造時に固定的に設定された唯一つの鍵９の重みに限定されていて、そもそも他の選択枝はないので、使用者が鍵９の重みを使用者が所望の鍵９の重みに調節し直すことは不可能であった。
【００４５】
既に本明細書の００４３欄で示されたように、赤道径最小の被案内体２を一つ定めたときにｎ通りある、通路７の狭着幅と被案内体２の赤道径の関係、及び、同一位置に設けられるｍ通りある同一形状の板バネ６ａのバネ定数によって、鍵９の重みをｎ×ｍ通りの段階で調整できる。
ｎ×ｍが大きい数であるほど実質的に無段階と見なせるようになる。本物のハープシコードでは鍵９の重みは連続的に調整できるのに対し、本願発明は弦を棘ではじく方式とは全く異なる人為的な仕組みであるにもかかわらず、本物のハープシコードに一歩近づかせることができた。
【００４６】
ハープシコード制作時には、底板１０上で必要な数の鍵９を並べてできた鍵盤部を、丸ごと楽器の外観をしたケース、すなわち、鍵盤部と脚を除いた本体部分に納めることが、制作の一つの工程としてある。
鍵９への反力を調整する必要がある時は、この鍵盤部とケースとのネジ留めを解除して、丸ごと引き出して、本発明の一単位毎に鍵９をバランスピン１１ａ等から上方に引き抜いて、前記鍵への反力を調整するための調整手段６を本明細書００４３欄に記載の最適な被案内体２と板バネ６ａの組み合わせに交換する。
そして、また制作時のときと同じように再び外骨格とも言うべきケースの中に納めた後、ケースとネジ留めをする。
【００４７】
初めてハープシコードを弾く人には、「鍵９は底板１０へ落下するのだ。」という感触をよく理解させるために、最も小さい鍵９の重みに設定、すなわち、一つのプレクトラムの、実践上一番小さな領域で一つの弦をはじく状態に相当した設定しておく必要がある。
それ故、これまでは、初めてハープシコードを弾く人は本物のハープシコードで弾き始める以外になかった。
従来の電気式鍵盤楽器では、最も小さい鍵９の重みに設定されていないからである。
【００４８】
今や本発明によって、離散的だが実質的には連続的と感じられる無段階に鍵９の重みを設定できるので、初めてハープシコードを弾く人で、ハープシコードを所有していない場合、電気式の本発明を備えた鍵盤部で最も小さい鍵９の重みに設定するだけでよい。
【００４９】
もし、豪華な外観にこだわらない小さな質素なケースに、本発明を備えた鍵盤部を組み込むならば、著しく安価となるであろう。
【００５０】
図５は、被案内体受け止め部材８を度外視した、鍵への反力を調整するための調整手段６の有り得る組み合わせを示している。
【００５１】
また、別の実施態様として、鍵９の演奏者側裏面に前記鍵９の長手方向に揺動可能に軸支された柄３の先端に設けられた被案内体２と、前記鍵９が載置されている底板１０の前記被案内体２と対向する位置に設けられた前記鍵への反力を調整するための調整手段６とからなる鍵への反力付与手段１であって、前記鍵への反力を調整するための調整手段６は案内柱６ｃと前記被案内体２を案内するための案内用長孔６ｘが設けられた板バネ６ａとからなるとともに、前記板バネ６ａは前記案内柱６ｃ側に向けて膨出していること、および、前記被案内体２は前記柄３に着脱可能となっていることを特徴とする鍵への反力付与手段１としてもよい。
【００５２】
本発明の板バネ６ａは、コイルバネに変えてもよい。
【００５３】
さて、本物のハープシコードにおいては、鍵９の押下行程は、初期の水平位置から順に、遊びの区間、鍵９の重みの区間、鉛直下方投射区間に分けて考えることができる。
遊びの区間とは、無人状態の鍵９の初期位置から本物のハープシコードのプレクトラムが弦に接触するまでに相当する区間である。
鍵９の重みの区間とは、本物のハープシコードのプレクトラムが弦をはじき始める瞬間から弦を弾いた瞬間までに相当する区間である。
鉛直下方投射区間とは、本物のハープシコードのプレクトラムが弦を弾いた直後から鍵９が可能な変位範囲のうちの最下位置に到達するまでに相当する区間である。
鍵９の復帰行程では、バランスピン１１ａから奥側の鍵９自体の重みで水平位置めがけて一気に復帰するので、区間に分けて考えない。
被案内体２が、遊びの区間通過後、鍵９の重みの区間を通り抜け、鍵９の重みの区間を通り抜けた瞬間、鉛直下方投射で落下し、底板１０上の被案内体受け止め部材（フェルト）８に衝突して止まるときの鍵９の位置が鍵９の最下位置であり、本物のハープシコードの場合での最下位置と同一である。
本物のハープシコードのプレクトラムが弦を弾いた瞬間が、本願発明を備えた電気式ハープシコードの鍵盤部における鍵９の重み区間と鉛直下方投射区間の境界に相当する。
【００５４】
あたかも落とし穴を塞いでいるベニヤ板の上で小さい振幅で上下運動していて少しずつ振幅を増大させていったら、ある振幅になるやいなや落とし穴の底めがけて落下するのに似ていることを思えば、初速度ゼロで落下が始まるわけではないとわかるので、鉛直下方投射区間と呼んでいる。
【００５５】
被案内体２が底板１０に達した後は指をそのまま鍵９の最下位置に留めておれば、その最下位置にずっと鍵９はいつづけることになる。
指を演奏者自らの意思で揚げれば、本物のハープシコードも本願発明も鍵９の、バランスピン１１ａから奥側の鍵９自体の自重によって水平位置めがけて一気に復帰する。
鍵９の復帰行程においては、被案内体２には鍵９のバランスピン１１ａから奥側の鍵９自体の自重による復帰力以外かかっておらず、鍵９から演奏者が指の押さえ力を排除した後は、被案内体２の勢いは、通路７の最も幅の狭いところを板バネ６ａを押しのけつつ通過するときの捕獲力より十分大きいので、押下行程では三つに明確に区分けされた区間があると感じられるのとは反対に、復帰行程では一気に初期位置まで戻るので、一つの区間しかないように感じられる。
【００５６】
板バネ６ａの形状は、押下行程において、被案内体２が初期位置から底板１０に到達するまでの、「遊びの区間：鍵９の重みの区間：鉛直下方投射区間」という各区分での鍵９の演奏者側の縁の特定点の変位量を鉛直線に射影したものの連比が、本物のハープシコードの場合と同一になるような図５の下段の図に見出される寸法Ｘ１の板バネ６ａ間の箇所の、底板１０からの距離が必ず存在する故、試行錯誤の後、必ず確定される。
【００５７】
本明細書００５３欄〜００５５欄に記載の、鍵９に付与される反力に関して、本物のハープシコード特有の項目すべてについて、本発明は適合している。
よって、本願発明の構成によって反力が鍵９に伝わると、使用者はハープシコードを演奏している気分が得られる。
【００５８】
以上、鍵への反力付与手段１を構成する方法はその都度与えられてきているので、実施者が本願発明を実施できることは原理的に保証されている。
【産業上の利用可能性】
【００５９】
本願発明は、楽器業界において活用できるものである。
【符号の説明】
【００６０】
１      鍵への反力付与手段
２      被案内体
３      柄
４      軸
５      揺動用金具
６      鍵への反力を調整するための調整手段
６ａ    板バネ
６ｂ    板バネ設置台
６ｃ    案内柱
６ｘ    案内用長孔
６ｙ    案内溝
７      通路
８      被案内体受け止め部材（フェルト）
９      鍵
９ａ    長尺鍵に貼られる黒檀または牛骨のどちらか一方
９ｂ    短尺鍵に貼られる黒檀または牛骨（９ａとは異なる種類の方）
９ｃ    錘（鉛）
１０    底板
１１    天秤台
１１ａ  バランスピン
１２    ブレ防止ピン
１３    水平維持用受け止め部材（フェルト）
１４    上昇止め
１４ａ  フェルト
１４ｂ  上昇止め固定用ネジ
【要約】
【課題】ハープシコードを演奏している気になる電気式発音方式の鍵盤楽器の鍵盤部を提供すること。
【解決手段】ハープシコードと同一寸法、同一素材の鍵を用い、鍵の演奏者側裏面に前記鍵の長手方向に揺動可能に軸支された柄の先端に設けられた被案内体と、前記鍵が載置されている底板の前記被案内体と対向する位置に設けられた前記鍵への反力を調整するための調整手段とからなる鍵への反力付与手段であって、前記鍵盤への反力を調整するための調整手段は板バネと前記被案内体を案内するための案内溝が設けられた案内柱とからなるとともに前記板バネは前記案内柱側に向けて膨出していることを特徴とする鍵への反力付与手段。【選択図】図１【図１】
0005439645.tif 000002
【図２】
0005439645.tif 000003
【図３】
0005439645.tif 000004
【図４】
0005439645.tif 000005
【図５】
0005439645.tif 000006